(57)【特許請求の範囲】
【請求項１】
複数のセルグループを用いる端末装置であって、
複数のセルグループを用いたデータ転送をサポートするか否かを指示する第１の情報と、ベアラスプリット送信をサポートするか否かを指示する第２の情報と、を含む能力情報を含む、前記端末装置の能力メッセージを生成する制御部と、
前記端末装置の前記能力メッセージを、基地局装置に送信する送信部と、
を備え、
前記複数のセルグループのそれぞれに対する前記データ転送は、前記複数のセルグループのそれぞれに対応するそれぞれのＭＡＣファンクションによって実行され、
前記それぞれのＭＡＣファンクションに対応する前記セルグループに対して物理上りリンク制御チャネルが送信され、
前記第１の情報は、前記端末装置によってサポートされる複数の周波数バンドの組み合わせごとに、それぞれ設定される、
端末装置。
【請求項２】
複数のセルグループを用いる端末装置の通信方法であって、
複数のセルグループを用いたデータ転送をサポートするか否かを指示する第１の情報と、ベアラスプリット送信をサポートするか否かを指示する第２の情報と、を含む能力情報を含む、前記端末装置の能力メッセージを生成する制御過程と、
前記端末装置の前記能力メッセージを、基地局装置に送信する送信過程と、
を有し、
前記複数のセルグループのそれぞれに対する前記データ転送は、前記複数のセルグループのそれぞれに対応するそれぞれのＭＡＣファンクションによって実行され、
前記それぞれのＭＡＣファンクションに対応する前記セルグループに対して物理上りリンク制御チャネルが送信され、
前記第１の情報は、前記端末装置によってサポートされる複数の周波数バンドの組み合わせごとに、それぞれ設定される、
通信方法。
【請求項３】
複数のセルグループを用いる基地局装置であって、
少なくとも複数のセルグループを用いたデータ転送をサポートするか否かを指示する第１の情報と、ベアラスプリット送信をサポートするか否かを指示する第２の情報と、を含む能力情報を含む、端末装置の能力メッセージを端末装置から受信する受信部と、
前記複数のセルグループのそれぞれに対応するそれぞれのＭＡＣファンクションによって前記複数のセルグループのそれぞれに対する前記データ転送を実行する送信部と、
を備え、
前記ＭＡＣファンクションのそれぞれに対応する前記セルグループで物理上りリンク制御チャネルが受信され、
前記第１の情報は、前記端末装置によってサポートされる複数の周波数バンドの組み合わせごとに、それぞれ設定される、
基地局装置。
【請求項４】
複数のセルグループを用いる基地局装置に用いられる通信方法であって、
少なくとも複数のセルグループを用いたデータ転送をサポートするか否かを指示する第１の情報と、ベアラスプリット送信をサポートするか否かを指示する第２の情報と、を含む能力情報を含む、端末装置の能力メッセージを端末装置から受信する受信過程と、
前記複数のセルグループのそれぞれに対応するそれぞれのＭＡＣファンクションによって前記複数のセルグループに対する前記データ転送を実行する送信過程と、
を有し、
前記ＭＡＣファンクションのそれぞれに対応する前記複数のセルグループで物理上りリンク制御チャネルが受信され、
前記第１の情報は、前記端末装置によってサポートされる複数の周波数バンドの組み合わせごとに、それぞれ設定される、
通信方法。
【発明の詳細な説明】
【技術分野】
【０００１】
本発明の実施形態は、端末装置の能力を効率的に通知する端末装置、基地局装置、通信システム、通知方法および集積回路の技術に関する。
本願は、２０１３年１２月２６日に、日本に出願された特願２０１３−２６９０８４号に基づき優先権を主張し、その内容をここに援用する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。【０００３】
また、３ＧＰＰでは、より高速なデータ伝送を実現し、ＥＵＴＲＡに対して上位互換性を持つＡｄｖａｎｃｅｄ  ＥＵＴＲＡの検討を行っている。ＥＵＴＲＡでは、基地局装置がほぼ同一のセル構成（セルサイズ）から成るネットワークを主に想定していたが、Ａｄｖａｎｃｅｄ  ＥＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とし、このようなネットワークに適応した制御方法の検討が行われている。【０００４】
ヘテロジニアスネットワークのように、セル半径の大きいセル（マクロセル）と、セル半径がマクロセルよりも小さいセル（スモールセル）とが混在して配置される通信システムにおいて、端末装置が、複数の基地局装置のセルと同時に接続して通信を行う技術（Ｄｕａｌ  Ｃｏｎｎｅｃｔｉｖｉｔｙ（デュアルコネクティビティ、双対接続性））について検討されている（非特許文献１）。【０００５】
デュアルコネクティビティを実現するために、基地局装置は、端末装置がデュアルコネクティビティに対応した端末装置であるか否かについて事前に端末装置の能力（ＵＥ  ｃａｐａｂｉｌｉｔｙ）を把握しておく必要がある。しかしながら、デュアルコネクティビティは、非特許文献２に示すようなキャリア・アグリゲーション（Ｃａｒｒｉｅｒ  Ａｇｇｒｅｇａｔｉｏｎ、キャリア集約）に加え、多くの新しい技術が導入されることが予想される。例えば、非特許文献３では、デュアルコネクティビティにおける複数のアーキテクチャーが示されている。
【先行技術文献】
【非特許文献】
【０００６】
【非特許文献１】Ｒ２−１３０４４４，ＮＴＴ  ＤＯＣＯＭＯ，  ＩＮＣ．，３ＧＰＰ  ＴＳＧ−ＲＡＮ２＃８１，Ｓｔ．  Ｊｕｌｉａｎ’ｓ，  Ｍａｌｔａ，  Ｊａｎｕａｒｙ  ２８ｔｈ  −  Ｆｅｂｒｕａｒｙ  １ｓｔ，  ２０１３．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８１／Ｄｏｃｓ／
【非特許文献２】３ＧＰＰ  ＴＳ  ３６．９１２  Ｖ９．３．０（２０１０−０６）ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．９１２／
【非特許文献３】３ＧＰＰ  ＴＳ  ３６．８４２  Ｖ１．０．０（２０１３−１１）ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．８４２／
【発明の概要】
【発明が解決しようとする課題】
【０００７】
従来のキャリア・アグリゲーションのように、端末装置が集約可能な周波数バンドの組み合わせに対し、デュアルコネクティビティが可能か否かを示す一つの情報のみを端末装置の能力として基地局装置に通知すると、基地局装置は、端末装置がデュアルコネクティビティにおけるどの機能を実現可能であるか特定することができない。【０００８】
特に、デュアルコネクティビティように複数の機能によって実現されるような通信技術の場合、端末装置の能力を特定の機能について分類し、機能ごとに端末装置の能力を通知するように構成することによって、必要な機能のみを用いた制御が可能となり、また、段階的に実装することができるという点で効率的である。しかしながら、このような構成については未だ検討されていない。【０００９】
本発明の実施形態は、上述の課題を鑑みてなされたものであり、端末装置の能力を効率的に通知することが可能な端末装置、基地局装置、通信システム、通知方法および集積回路に関する技術を提供することによって、上記の課題の少なくとも１つを解決することを目的とする。
【課題を解決するための手段】
【００１０】
（１）本発明の一実施形態に係る端末装置は、プライマリセルとセカンダリセルとを含む複数の在圏セルを用いて複数の基地局装置と通信可能な端末装置であって、端末装置能力情報として、複数の前記基地局装置に対する送受信をサポートするか否かを示す第１の情報と、複数の前記基地局装置に関わる無線ベアラの分割伝送をサポートするか否かを示す第２の情報を設定し、前記端末装置能力情報を含む端末装置能力メッセージを前記基地局装置に送信し、複数の前記基地局装置に対する送受信は、複数の前記基地局装置にそれぞれ対応する複数のＭＡＣ層によってなされ、前記複数のＭＡＣ層は、複数の前記基地局装置に属するセルグループ内のセルにおいて物理上りリンク制御チャネルの送信をサポートする。【００１１】
（２）上記一実施形態に係る端末装置において、前記第１の情報は、前記端末装置がサポートする周波数バンドの組み合わせに対応してそれぞれ設定されてもよい。【００１２】
（３）上記一実施形態に係る端末装置において、前記端末装置能力情報は、前記周波数バンドの組み合わせにおいて、デュアルコネクティビティを用いた通信が可能であるか否かを示す情報であってもよい。【００１３】
（４）本発明の他の一実施形態に係る基地局装置は、プライマリセルとセカンダリセルとを含む複数の在圏セルを用いて端末装置と通信可能な基地局装置であって、前記端末装置から端末装置能力情報として、複数の前記基地局装置に対する送受信をサポートするか否かを示す第１の情報と、複数の前記基地局装置に関わる無線ベアラの分割伝送をサポートするか否かを示す第２の情報と、を含む端末装置能力メッセージを受信し、前記端末装置能力情報に基づく無線リソース設定情報を前記端末装置に送信し、前記第１の情報は、前記端末装置において、複数の前記基地局装置にそれぞれ対応する複数のＭＡＣ層と、前記複数のＭＡＣ層における物理上りリンク制御チャネルの送信が可能であることを示す。【００１４】
（５）上記他の一実施形態に係る基地局装置は、周波数バンドの組み合わせに対応してそれぞれ設定される前記第１の情報に基づいて、無線リソース設定情報を前記端末装置に送信するように構成されていてもよい。【００１５】
（６）上記他の一実施形態に係る基地局装置は、周波数バンドの組み合わせに対応して設定される前記第１の情報に基づいて、デュアルコネクティビティに関する無線リソース設定情報を前記端末装置に設定可能であるか否を判断するように構成されていてもよい。【００１６】
（７）本発明の他の一実施形態に係る通信システムは、プライマリセルとセカンダリセルとを含む複数の在圏セルを用いて通信する端末装置と、前記端末装置と通信する基地局装置と、から構成される通信システムであって、前記端末装置は、端末装置能力情報として、複数の前記基地局装置に対する送受信をサポートするか否かを示す第１の情報と、複数の前記基地局装置に関わる無線ベアラの分割伝送をサポートするか否かを示す第２の情報と、を設定し、前記端末装置能力情報を含む端末装置能力メッセージを前記基地局装置に送信し、複数の前記基地局装置に対する送受信は、複数の前記基地局装置にそれぞれ対応する複数のＭＡＣ層によってなされ、前記複数のＭＡＣ層は、複数の前記基地局装置に属するセルグループ内のセルにおいて物理上りリンク制御チャネルの送信をサポートし、前記基地局装置は、前記端末装置能力情報を含む端末装置能力メッセージを受信し、前記端末装置能力情報に基づく無線リソース設定情報を前記端末装置に送信する。【００１７】
（８）本発明の他の一実施形態に係る通信方法は、プライマリセルとセカンダリセルとを含む複数の在圏セルを用いて複数の基地局装置と通信可能な端末装置の通知方法であって、端末装置能力情報として、複数の前記基地局装置に対する送受信をサポートするか否かを示す第１の情報と、複数の前記基地局装置に関わる無線ベアラの分割伝送をサポートするか否かを示す第２の情報と、を設定するステップと、前記端末装置能力情報を含む端末装置能力メッセージを前記基地局装置に送信するステップと、を含み、複数の前記基地局装置に対する送受信は、複数の前記基地局装置にそれぞれ対応する複数のＭＡＣ層によってなされ、前記複数のＭＡＣ層は、複数の前記基地局装置に属するセルグループ内のセルにおいて物理上りリンク制御チャネルの送信をサポートする。【００１８】
（９）上記他の一実施形態に係る通信方法は、前記第１の情報を、前記端末装置がサポートする周波数バンドの組み合わせに対応してそれぞれ設定するステップをさらに含んでいてもよい。【００１９】
（１０）本発明の他の一実施形態に係る通信方法は、プライマリセルとセカンダリセルとを含む複数の在圏セルを用いて端末装置と通信可能な基地局装置の通信方法であって、前記端末装置から端末装置能力情報として、複数の前記基地局装置に対する送受信をサポートするか否かを示す第１の情報と、複数の前記基地局装置に関わる無線ベアラの分割伝送をサポートするか否かを示す第２の情報と、を含む端末装置能力メッセージを受信するステップと、前記端末装置能力情報に基づく無線リソース設定情報を前記端末装置に送信するステップと、を含み、前記第１の情報は、前記端末装置において、複数の前記基地局装置にそれぞれ対応する複数のＭＡＣ層と、前記複数のＭＡＣ層における物理上りリンク制御チャネルの送信が可能であることを示す。【００２０】
（１１）本発明の他の一実施形態に係る集積回路は、プライマリセルとセカンダリセルとを含む複数の在圏セルを用いて複数の基地局装置と通信可能な端末装置に実装される集積回路であって、端末装置能力情報として、複数の前記基地局装置に対する送受信をサポートするか否かを示す第１の情報と、複数の前記基地局装置に関わる無線ベアラの分割伝送をサポートするか否かを示す第２の情報を設定する機能と、前記端末装置能力情報を含む端末装置能力メッセージを前記基地局装置に送信する機能と、を前記端末装置に対して少なくとも発揮させ、複数の前記基地局装置に対する送受信は、複数の前記基地局装置にそれぞれ対応する複数のＭＡＣ層によってなされ、前記複数のＭＡＣ層は、複数の前記基地局装置に属するセルグループ内のセルにおいて物理上りリンク制御チャネルの送信をサポートする。【００２１】
（１２）上記他の一実施形態に係る集積回路は、前記第１の情報を、前記端末装置がサポートする周波数バンドの組み合わせに対応してそれぞれ設定する機能を、前記端末装置に対して発揮させるように構成されていてもよい。【００２２】
（１３）本発明の他の一実施形態に係る集積回路は、プライマリセルとセカンダリセルとを含む複数の在圏セルを用いて端末装置と通信可能な基地局装置に実装される集積回路であって、前記端末装置から端末装置能力情報として、複数の前記基地局装置に対する送受信をサポートするか否かを示す第１の情報と、複数の前記基地局装置に関わる無線ベアラの分割伝送をサポートするか否かを示す第２の情報と、を含む端末装置能力メッセージを受信する機能と、前記端末装置能力情報に基づく無線リソース設定情報を前記端末装置に送信する機能と、を前記基地局装置に対して少なくとも発揮させ、前記第１の情報は、前記端末装置において、複数の前記基地局装置にそれぞれ対応する複数のＭＡＣ層と、前記複数のＭＡＣ層における物理上りリンク制御チャネルの送信が可能であることを示す。
【発明の効果】
【００２３】
本発明の実施形態によれば、端末装置の能力を効率的に通知することが可能な端末装置、基地局装置、通信システム、通知方法および集積回路に関する技術を提供することができる。
【図面の簡単な説明】
【００２４】
【図１】本発明の実施形態に係る端末装置の概略構成の一例を示すブロック図である。
【図２】本発明の実施形態に係る基地局装置の概略構成の一例を示すブロック図である。
【図３】本発明の第１の実施形態における端末装置能力のメッセージ構造を示す図である。
【図４】本発明の第１の実施形態における複数の端末装置能力情報と端末装置が備える機能との関係を示す図である。
【図５】本発明の第２の実施形態における端末装置能力のメッセージ構造を示す図である。
【図６】本発明の第３の実施形態における端末装置能力のメッセージ構造を示す図である。
【図７】本発明の第３の実施形態における複数の端末装置能力情報と端末装置が備える機能との関係を示す図である。
【図８】本発明の実施形態に係る端末装置と基地局装置とをデュアルコネクティビティを用いて接続する場合の例を示した図である。
【図９】従来の端末装置においてサポートされる周波数バンドの組み合わせの一例を示す図である。
【図１０】従来の端末装置における周波数バンドの組み合わせを通知する端末装置能力のメッセージ構造の一例を示す図である。
【図１１】従来の端末装置における複数の上りリンク送信タイミングのサポートの有無を通知する端末装置能力のメッセージ構造の一例を示す図である。
【発明を実施するための形態】
【００２５】
本発明の各実施形態に関わる技術について以下に簡単に説明する。
【００２６】
[物理チャネル／物理シグナル]
ＥＵＴＲＡおよびＡｄｖａｎｃｅｄ  ＥＵＴＲＡで使用される主な物理チャネル、物理シグナルについて説明を行なう。チャネルとは信号の送受信に用いられる媒体を意味し、物理チャネルとは信号の送受信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本発明の各実施形態の説明には影響しない。
【００２７】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２８】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００２９】
物理報知情報チャネル（PBCH; Physical Broadcast Channel）は、セル内の端末装置で共通に用いられる制御パラメータ（報知情報（システム情報）；System information）を通知（設定（configuration））する目的で送信される。物理報知情報チャネルで通知されない報知情報は、物理下りリンク制御チャネルで報知情報が送信される無線リソースがセル内の端末装置に対して通知され、通知された無線リソースにおいて、物理下りリンク共用チャネルによって報知情報を通知するレイヤ３メッセージ（システムインフォメーション）が送信される。
【００３０】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報、送信タイミング調整情報、当該セルにおける共通無線リソース設定情報、周辺セル情報、上りリンクアクセス制限情報などが通知される。
【００３１】
下りリンクリファレンスシグナル（下りリンク参照信号）は、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としても下りリンクセル固有ＲＳを使用する。セル固有ＲＳに使用される系列は、セル毎に識別可能な系列が用いられる。
【００３２】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）またはＤｅｍｏｄｕｌａｔｉｏｎ  ＲＳ（ＤＭＲＳ）と称され、物理下りリンク制御チャネル、または物理下りリンク共用チャネルを復調するときのチャネルの伝搬路補償処理のために参照される。
【００３３】
物理下りリンク制御チャネル（PDCCH; Physical Downlink Control Channel）は、各サブフレームの先頭からいくつかのＯＦＤＭシンボル（例えば１〜４ＯＦＤＭシンボル）で送信される。拡張物理下りリンク制御チャネル（EPDCCH; Enhanced Physical Downlink Control Channel）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３４】
端末装置は、下りリンクデータや下りリンク制御データであるレイヤ３メッセージ（ページング、ハンドオーバーコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００３５】
物理上りリンク制御チャネル（PUCCH; Physical Uplink Control Channel）は、物理下りリンク共用チャネルで送信されたデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００３６】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００３７】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００３８】
物理上りリンク共用チャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００３９】
上りリンクリファレンスシグナル（上りリンク参照信号；Uplink Reference Signal、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。
【００４０】
また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４１】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４２】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４３】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００４４】
なお、それ以外の物理チャネルまたは物理シグナルは、本発明の各実施形態に関わらないため詳細な説明は省略する。説明を省略した物理チャネルまたは物理シグナルとして、物理制御フォーマット指示チャネル（PCFICH：Physical control format indicator channel）、物理ＨＡＲＱ指示チャネル（PHICH：Physical hybrid ARQ indicator channel）、物理マルチキャストチャネル（PMCH：Physical multicast channel）などがある。
【００４５】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数または異なる周波数のエリアに混在して一つの通信システムを形成している無線ネットワークのことを、ヘテロジニアスネットワークと称する。
【００４６】
端末装置は、セルの中を通信エリアとみなして動作する。端末装置が、あるセルから別のセルへ移動するときは、非無線接続時（アイドル状態）はセル再選択手順、無線接続時（コネクティッド状態）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００４７】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルなどに分類されることもある。
【００４８】
端末装置がある基地局装置と通信可能であるとき、その基地局装置のセルのうち、端末装置との通信に使用されるように設定されているセルは在圏セル（Serving cell）であり、その他の通信に使用されないセルは周辺セル（Neighboring cell）と称される。
【００４９】
[キャリア・アグリゲーション]
端末装置と基地局装置は、複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術（キャリア・アグリゲーション）を適用してもよい。キャリア・アグリゲーションにおいて、コンポーネントキャリアとして、上りリンクに対応する上りリンクコンポーネントキャリアと、下りリンクに対応する下りリンクコンポーネントキャリアとがある。本明細書において、周波数と周波数帯域は同義的に使用され得る。
【００５０】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５１】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅であってもよい。
【００５２】
キャリア・アグリゲーションによって、後方互換性のないコンポーネントキャリア（キャリアタイプ）を集約してもよい。この後方互換性のないコンポーネントキャリアのことを、ニューキャリアタイプ（ＮＣＴ）とも称する。なお、基地局装置が端末装置に割り当てる（設定する、追加する）上りリンクコンポーネントキャリアの数は、下りリンクコンポーネントキャリアの数と同じか少ないことが望ましいが、制限されるわけではない。
【００５３】
端末装置と基地局装置は、ある上りリンクコンポーネントキャリアと、当該上りリンクコンポーネントキャリアとセル固有接続される下りリンクコンポーネントキャリアから構成されるセルを、プライマリセル（ＰＣｅｌｌ：Ｐｒｉｍａｒｙ  ｃｅｌｌ）として管理する。また、端末装置と基地局装置は、プライマリセル以外のコンポーネントキャリアから構成されるセルを、セカンダリセル（ＳＣｅｌｌ：Ｓｅｃｏｎｄａｒｙ  ｃｅｌｌ）として管理する。プライマリセルの周波数をプライマリ周波数と称し、セカンダリセルの周波数をセカンダリ周波数と称する。
【００５４】
端末装置は、プライマリセルにおいて、ページングメッセージの受信、報知情報の更新の検出、初期アクセス手順、セキュリティ情報の設定などを行う一方、セカンダリセルではこれらを行わなくてもよい。プライマリセルとセカンダリセルとを合わせてサービングセル（在圏セル）と称する。すなわち、複数のコンポーネントキャリア（セル）を集約している場合、端末装置は、複数の在圏セルを持つことになる。
【００５５】
在圏セルの状態に関し、活性化されている状態をＡｃｔｉｖａｔｅｄ  ｓｔａｔｅ、不活性化されている状態をＤｅａｃｔｉｖａｔｅｄ  ｓｔａｔｅとも称する。プライマリセルは、活性化（Ａｃｔｉｖａｔｉｏｎ）および不活性化（Ｄｅａｃｔｉｖａｔｉｏｎ）の制御の対象外であるが（つまり、プライマリセルは必ず活性化しているとみなされる）、セカンダリセルは活性化と不活性化というアクティビティに応じたセルの状態（ｓｔａｔｅ）を持つ。
【００５６】
在圏セルの状態は、基地局装置から明示的に状態の変更が指定（通知、指示）される場合もあるし、コンポーネントキャリア（セル）毎に端末装置が計時するタイマー情報（不活性化タイマー；ディアクティベーションタイマー）に基づいて状態が変更される場合もある。
【００５７】
なお、キャリア・アグリゲーションは、複数のコンポーネントキャリア（周波数帯域）を用いた複数の在圏セルによる通信であり、セル・アグリゲーションとも称される。なお、端末装置は、周波数毎にリレー局装置（またはリピーター）を介して基地局装置と無線接続されても良い。すなわち、本発明の各実施形態の基地局装置は、リレー局装置に置き換えることもできる。
【００５８】
キャリア・アグリゲーションにおけるランダムアクセスに関する一連の手順（ランダムアクセス手順）について説明する。ランダムアクセス手順には、Contention based Random Access（競合ベースランダムアクセス）手順とNon-contention based Random Access（非競合ベースランダムアクセス）手順の２つの手順がある。
【００５９】
Contention based Random Access手順は、異なる端末装置が送信したプリアンブル系列が衝突（contention）する可能性のあるランダムアクセス手順であり、端末装置が基地局装置と接続（通信）していない状態からの初期アクセスのためや、端末装置が基地局装置と接続している状態からの上りリンクの送信リソースを要求するスケジューリングリクエストのためなどに使用される。プリアンブル系列が衝突するということは、複数の端末装置が同じプリアンブル系列を用いて物理ランダムアクセスチャネルを同一の周波数・時間リソースを用いて送信することを意味する。なお、プリアンブル系列の衝突は、ランダムアクセスの衝突とも称される。
【００６０】
Non-contention based Random Access手順は、異なる端末装置が送信したプリアンブル系列に衝突が発生しないランダムアクセス手順であり、端末装置が基地局装置と接続している状態であり、かつ上りリンクの同期が外れている状態で、基地局装置の指示により開始される。Non-contention based Random Access手順は、ＲＲＣ（Ｒａｄｉｏ  Ｒｅｓｏｕｒｃｅ  Ｃｏｎｔｒｏｌ：Ｌａｙｅｒ３）層のメッセージおよび物理下りリンク制御チャネルＰＤＣＣＨの制御データにより開始が指示される。
【００６１】
Non-contention based Random Access手順で使用するプリアンブル系列（個別プリアンブル（dedicated preamble））は、基地局装置より個別に端末装置に通知される。Contention based Random Access手順で使用されるプリアンブル系列は、個別プリアンブルとして使用されないプリアンブル系列から端末装置がランダムアクセス時にランダムに一つ選択して使用する。あるセルで端末装置が使用可能なプリアンブル系列のうち、Contention based Random Access手順とNon-contention based Random Access手順でそれぞれ使用されるプリアンブル系列の数は基地局装置から通知される。
【００６２】
キャリア・アグリゲーションにおいて、プライマリセルではNon-contention based Random Access手順とContention based Random Access手順の両方がサポートされるが、セカンダリセルの上りリンクの送信タイミングがプライマリセルと異なるために、セカンダリセルにおいてランダムアクセス手順を実行する必要がある場合（これをＭｕｌｔｉ−ＴＡ、またはＭｕｌｔｉｐｌｅ  ＴＡと称する）、セカンダリセルではNon-contention based Random Access手順のみがサポートされる。なお、キャリア・アグリゲーションにおいて、端末装置によってセカンダリセルの上りリンクで送信された物理ランダムアクセスチャネル（プリアンブル系列）に対する応答（ランダムアクセスレスポンス）は、基地局装置からプライマリセルの下りリンクにおいて送信される。
【００６３】
[デュアルコネクティビティ]
デュアルコネクティビティの基本構造（アーキテクチャー）について説明する。デュアルコネクティビティにおいて、端末装置は、複数の基地局装置と同時に接続している。複数の基地局装置とは、マクロセルを構成する基地局装置とスモールセルを構成する別の基地局装置から構成される。また、複数の基地局装置とは、スモールセルを構成する基地局装置と別のスモールセルを構成する別の基地局装置から構成される。
【００６４】
このように、端末装置が、複数の基地局装置にそれぞれ属する複数のセルの無線リソースを用いることによって、ある基地局装置に接続することをデュアルコネクティビティと称し、デュアルコネクティビティを実現するための技術を用いて端末装置と複数の基地局装置とが接続することを、「デュアルコネクティビティを用いる」、「デュアルコネクティビティによる接続」、またはこれらと同義の表現を用いて説明する。接続に用いられるセルは異なる周波数で運用されていることが本技術のベースラインであるが、同じ周波数で運用されていても同様の技術を用いることが可能である。
【００６５】
なお、キャリア・アグリゲーションは、複数のセルを一つの基地局装置が管理し、各セルについて一つの基地局装置が集中制御可能であるということ、および、複数のセル間のバックボーン回線が遅延の影響を考慮する必要がないことがデュアルコネクティビティによる接続と異なる。換言すると、キャリア・アグリゲーションは、一つの端末装置と一つの基地局装置とを、複数のセルを介して接続させる技術であるのに対し、デュアルコネクティビティは、一つの端末装置と複数の基地局装置とを、複数のセルを介して接続させる技術である。
【００６６】
端末装置と基地局装置は、キャリア・アグリゲーションに適用される技術を、デュアルコネクティビティに対して適用することができる。例えば、端末装置と基地局装置は、プライマリセルおよびセカンダリセルの管理（追加、削除、変更など）、キャリア・アグリゲーションに対応した測定方法および測定イベント設定、活性化／不活性化などの技術をデュアルコネクティビティにより接続されるセルに対して適用してもよい。
【００６７】
デュアルコネクティビティによって接続されるセルを構成する複数の基地局装置間の接続経路は、基地局インターフェースと称される。また、基地局インターフェースは、ＥＵＴＲＡにおいてＸ２インターフェース、またはＸｎインターフェースとも称される。
【００６８】
図８は、デュアルコネクティビティを用いて端末装置１と基地局装置２とが接続される場合の例を示した図である。端末装置１と基地局装置２（基地局装置２−１、基地局装置２−２）は、それぞれ独立したセルを介して接続されており、端末装置１は、それぞれの基地局装置２のセルに対して同時受信および／または同時送信が可能である。また、基地局装置２−１、基地局装置２−２間は、基地局インターフェースＮ１０で接続されている。
【００６９】
また、本技術はデュアルコネクティビティという名称で呼ばれるが、端末装置１と接続される基地局装置２の数が２つまでに限定されるというわけではなく、端末装置１が３つ以上の基地局装置２と接続することも可能である。
【００７０】
[端末装置能力の構成]
端末装置が異なる複数の周波数バンドのセルを同時に通信可能であるときの端末装置能力の構成（シグナリング構造、メッセージ構造）について説明する。
【００７１】
例えば、無線周波数回路（ＲＦ：Ｒａｄｉｏ  Ｆｒｅｑｕｅｎｃｙ）として、端末装置が２つの無線周波数回路（ＲＦ＃１、ＲＦ＃２）を備えており、ＲＦ＃１はある周波数バンド（Ｂａｎｄ＃１）での受信（送信）のみをサポートし、ＲＦ＃２は異なる２つの周波数バンド（Ｂａｎｄ＃１、Ｂａｎｄ＃５）での受信（送信）をサポートしているとする。
【００７２】
図９は、端末装置のそれぞれの無線周波数回路がサポートする周波数バンドの組み合わせ（コンビネーション）の例を示したものである。図８は、無線周波数回路における組み合わせ（ＲＦ  ＢａｎｄＣｏｍｂｉｎａｔｉｏｎ）の数と、その組み合わせ可能な周波数バンドを示している。ここで、ＲＦ  ＢａｎｄＣｏｍｂｉｎａｔｉｏｎ＃１は、Ｂａｎｄ＃１の異なる２つ以上の周波数帯域を使用可能なことを意味する。また、ＲＦ  ＢａｎｄＣｏｍｂｉｎａｔｉｏｎ＃２は、Ｂａｎｄ＃１の周波数帯域とＢａｎｄ＃５の周波数帯域の２つ以上の周波数帯域を使用可能なことを意味する。
【００７３】
また、ＲＦ  ＢａｎｄＣｏｍｂｉｎａｔｉｏｎ＃３は、Ｂａｎｄ＃１の１つまたは複数の周波数帯域を使用した通信が可能なことを意味している。また、ＲＦ  ＢａｎｄＣｏｍｂｉｎａｔｉｏｎ＃４は、Ｂａｎｄ＃５の１つまたは複数の周波数帯域を使用した通信が可能なことを意味している。ＲＦ  ＢａｎｄＣｏｍｂｉｎａｔｉｏｎ＃３またはＲＦ  ＢａｎｄＣｏｍｂｉｎａｔｉｏｎ＃４において、キャリア・アグリゲーション時において送受信される周波数帯域の数は別パラメータで指定される。
【００７４】
図１０は、図９の無線周波数回路を持つ端末装置において構成される端末装置能力メッセージの構造の一例を示したものである。端末装置能力情報（ＵＥ  Ｃａｐａｂｉｌｉｔｙ  Ｉｎｆｏｒｍａｔｉｏｎ）として、周波数バンドの組み合わせ（ＢａｎｄＣｏｍｂｉｎａｔｉｏｎＰａｒａｍｅｔｅｒｓ）毎に、各無線周波数回路（ＲＦ）がサポートする周波数バンド（ｂａｎｄＥＵＴＲＡ）を含んだバンドパラメータ群（ＢａｎｄＰａｒａｍｅｔｅｒｓ）が設定される。また、周波数バンド（ｂａｎｄＥＵＴＲＡ）には、通信システム内で基地局装置と端末装置の無線通信のために使用可能な上りリンクと下りリンクの周波数と帯域幅を特定するための番号が設定される。
【００７５】
図１０では周波数バンド以外のパラメータについては省略して記載しているが、例えば、キャリア・アグリゲーション時における集約可能な連続する周波数帯域の数や、該周波数バンドの組み合わせで通信を行っているときの上りリンクと下りリンクのＭＩＭＯ（Ｍｕｌｔｉ  Ｉｎｐｕｔ  Ｍｕｌｔｉ  Ｏｕｔｐｕｔ）のレイヤ数などの情報を設定することができる。なお、キャリア・アグリゲーション時における集約可能な連続する周波数帯域の数は、キャリア・アグリゲーションのサポートクラス情報として符号化された値として提供されていてもよい。そして、該端末装置において可能な全ての周波数バンドの組み合わせをリスト化したもの（ＳｕｐｐｏｒｔｅｄＢａｎｄＣｏｍｂｉｎａｔｉｏｎ）が、端末装置能力として構成される。
【００７６】
換言すると、端末装置においてサポート可能な周波数バンド（ｂａｎｄＥＵＴＲＡ）と、該周波数バンドに関連する端末装置能力情報を一つのセットとしたものがバンドパラメータ群（ＢａｎｄＰａｒａｍｅｔｅｒｓ）である。また、端末装置においてサポート可能なバンドパラメータ群の組み合わせを示したものが周波数バンドの組み合わせ（ＢａｎａＣｏｍｂｉｎａｔｉｏｎＰａｒａｍｅｔｅｒｓ）である。また、端末装置においてサポート可能な周波数バンドの組み合わせの一覧（リスト）を示すものが（ＳｕｐｐｏｒｔｅｄＢａｎｄＣｏｍｂｉｎａｔｉｏｎ）である。
【００７７】
図１０に示す端末装置能力の構成の詳細について説明する。ＢａｎｄＣｏｍｂｉｎａｔｉｏｎＰａｒａｍｅｔｅｒｓ＃１は、ＢａｎｄＰａｒａｍｅｔｅｒｓ＃１とＢａｎｄＰａｒａｍｅｔｅｒｓ＃２を含む。ＢａｎｄＰａｒａｍｅｔｅｒｓ＃１は、少なくともｂａｎｄＥＵＴＲＡ＃１を含み、ＢａｎｄＰａｒａｍｅｔｅｒｓ＃２は、少なくともｂａｎｄＥＵＴＲＡ＃１を含む。このように端末装置能力を構成することによって、端末装置はＢａｎｄ＃１の周波数帯域を受信（送信）しているときに、更に、Ｂａｎｄ＃１の別の周波数帯域の受信（送信）をサポート可能な無線周波数回路を持つことを基地局装置に示すことができる。
【００７８】
また、ＢａｎｄＣｏｍｂｉｎａｔｉｏｎＰａｒａｍｅｔｅｒｓ＃２は、ＢａｎｄＰａｒａｍｅｔｅｒｓ＃３とＢａｎｄＰａｒａｍｅｔｅｒｓ＃４を含む。ＢａｎｄＰａｒａｍｅｔｅｒｓ＃３は、少なくともｂａｎｄＥＵＴＲＡ＃１を含み、ＢａｎｄＰａｒａｍｅｔｅｒｓ＃４は、少なくともｂａｎｄＥＵＴＲＡ＃５を含む。このように端末装置能力を構成することによって、端末装置はＢａｎｄ＃１の周波数帯域を受信（送信）しているときに、Ｂａｎｄ＃５の周波数帯域の受信（送信）をサポート可能な無線周波数回路を持つことを基地局装置に示すことができる。
【００７９】
また、ＢａｎｄＣｏｍｂｉｎａｔｉｏｎＰａｒａｍｅｔｅｒｓ＃３は、ＢａｎｄＰａｒａｍｅｔｅｒｓ＃５を含む。ＢａｎｄＰａｒａｍｅｔｅｒｓ＃５は、少なくともｂａｎｄＥＵＴＲＡ＃１を含む。同様に、ＢａｎｄＣｏｍｂｉｎａｔｉｏｎＰａｒａｍｅｔｅｒｓ＃４も、ＢａｎｄＰａｒａｍｅｔｅｒｓ＃６を含む。ＢａｎｄＰａｒａｍｅｔｅｒｓ＃５は、少なくともｂａｎｄＥＵＴＲＡ＃５を含む。
【００８０】
このように、端末装置能力メッセージに含まれる端末装置がサポートしている周波数バンドの組み合わせの数は、無線周波数回路がサポートする周波数バンドの組み合わせの数に等しい。すなわち、無線周波数回路がサポートする周波数バンドの組み合わせの数がｎ（ｎは自然数）であれば、端末装置能力メッセージに含まれる端末装置がサポートしている周波数バンドの組み合わせ（ＢａｎｄＣｏｍｂｉｎａｔｉｏｎＰａｒａｍｅｔｅｒｓ）の数はｎとなる。
【００８１】
また、端末装置は、ある周波数バンドの組み合わせにおいて複数の上りリンクの送信タイミングをサポート可能である場合、すなわち、ある周波数バンドの組み合わせにおいてセカンダリセルでのNon-contention based Random Access手順をサポート可能である場合、端末装置は、該端末装置がサポート可能な周波数バンドの組み合わせに対する複数の上りリンクの送信タイミングのサポートの有無をリスト化した端末装置能力情報（ＳｕｐｐｏｒｔｅｄＢａｎｄＣｏｍｂｉｎａｔｉｏｎ２）を別に設定する。
【００８２】
図１１は、複数の上りリンクの送信タイミングのサポートの有無を設定する端末装置能力のメッセージ構造の一例を示す図である。複数の上りリンクの送信タイミングのサポートの有無を示す情報（パラメータ）は、端末装置においてサポート可能な周波数バンドの組み合わせにそれぞれ対応して設定される。
【００８３】
図１１の例では、図１０で端末装置においてサポート可能な周波数バンドの組み合わせは４通り（ＢａｎｄＣｏｍｂｉｎａｔｉｏｎＰａｒａｍｅｔｅｒｓ＃１〜＃４）であるため、複数の上りリンクの送信タイミングのサポートの有無を示す情報（ｍｕｌｔｉｐｌｅＴｉｍｉｎｇＡｄｖａｎｃｅ）は、周波数バンドの組み合わせ毎にそれぞれ設定される。すなわち、ｍｕｌｔｉｐｌｅＴｉｍｉｎｇＡｄｖａｎｃｅ＃１〜＃４が設定される。
【００８４】
このように、複数の上りリンクの送信タイミングのサポートの有無を示す情報は、端末装置能力メッセージにリストされている周波数バンドの組み合わせに対応する。すなわち、端末装置能力メッセージにリストされている周波数バンドの組み合わせの数がｎ（ｎは自然数）であれば、該端末装置能力メッセージに含まれる複数の上りリンクの送信タイミングのサポートの有無を示す情報（ｍｕｌｔｉｐｌｅＴｉｍｉｎｇＡｄｖａｎｃｅ）の数もｎであり、リストに含まれる順番もそれぞれ同じとなる。つまり、ＳｕｐｐｏｒｔｅｄＢａｎｄＣｏｍｂｉｎａｔｉｏｎにおいて、ＢａｎｄＣｏｍｂｉｎａｔｉｏｎＰａｒａｍｅｔｅｒｓ＃１がリストの最初にエントリーされている場合、ＳｕｐｐｏｒｔｅｄＢａｎｄＣｏｍｂｉｎａｔｉｏｎ２においても、ＢａｎｄＣｏｍｂｉｎａｔｉｏｎＰａｒａｍｅｔｅｒｓ＃１がリストの最初にエントリーされている必要がある。
【００８５】
これらの端末装置能力情報は、瞬時的、または動的に変化することは少ないため、端末装置は、システムパラメータとして不揮発性メモリなどの内部に静的に設定された端末装置の能力情報に基づいて端末装置能力を構成し、基地局装置と接続されたとき、または基地局装置からの要求に応じて必要な端末装置能力を含む端末装置能力メッセージをＲＲＣメッセージとして構成（生成）し、基地局装置に送信する。
【００８６】
基地局装置は、端末装置能力メッセージを受信し、通知されたこれらの端末装置能力に基づいて、端末装置の無線周波数回路においてサポート可能な設定情報を適切に通知することが可能となる。
【００８７】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００８８】
＜第１の実施形態＞
本発明の第１の実施形態について以下に説明する。
【００８９】
図１は、本発明の第１の実施形態による端末装置１の一例を示すブロック図である。本端末装置１は、受信アンテナ部Ｒ０１、受信部１０１、復調部１０２、復号部１０３、受信データ制御部１０４、物理レイヤ制御部１０５、送信データ制御部１０６、符号部１０７、変調部１０８、送信部１０９、送信アンテナ部Ｔ０１、無線リソース制御部１１０から少なくとも構成される。図中の「部」とは、セクション、回路、構成装置、デバイス、ユニットなど用語によっても表現される、端末装置１の機能および各手順を実現する要素である。
【００９０】
無線リソース制御部１１０は、端末装置１の状態制御、測定制御及び報告制御、共通制御情報及び個別制御情報の制御、接続制御、移動制御、無線リソース制御などを執り行うＲＲＣ（Ｒａｄｉｏ  Ｒｅｓｏｕｒｃｅ  Ｃｏｎｔｒｏｌ）層の各機能を実行するブロックである。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【００９１】
なお、端末装置１は、キャリア・アグリゲーション、および／またはデュアルコネクティビティによる複数の周波数（周波数帯、周波数帯域幅）またはセルの同時受信をサポートするために受信系のブロック（受信部１０１、復調部１０２、復号部１０３）、および複数の周波数（周波数帯、周波数帯域幅）またはセルの同時送信をサポートするために送信系のブロック（符号部１０７、変調部１０８、送信部１０９）を複数備える構成であってもよい。また、端末装置１は、受信データ制御部１０４、物理レイヤ制御部１０５、送信データ制御部１０６、無線リソース制御部１１０を複数備える構成であってもよい。
【００９２】
例えば、端末装置１は、受信データ制御部１０４と送信データ制御部１０６を、デュアルコネクティビティによって接続される複数の基地局装置２（セカンダリ基地局装置セルグループ、コネクティビティグループとして分類されていてもよい）にそれぞれ対応するように構成してもよい。すなわち、ＭＡＣ層、ＲＬＣ層、ＰＤＣＰ層のすべて、または一部が接続されるそれぞれの基地局装置２に対して動作（制御）するように構成してもよい。少なくとも、ＭＡＣ層における機能は基地局装置毎に設定できることが望ましい（この機能をＭｕｌｔｉｐｌｅ  ＭＡＣ、またはＤｕａｌ  ＭＡＣと称する）。同様に、物理レイヤ制御部１０５や無線リソース制御部１１０についても、接続されるそれぞれの基地局装置２に対して動作（制御）するように構成してもよい。
【００９３】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【００９４】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【００９５】
受信制御情報は、下りリンクスケジューリング情報として、受信周波数帯域の情報、物理チャネルと物理シグナルに関する受信タイミング、多重方法、無線リソース配置情報などの情報が含まれている。また、受信データ制御情報は、セカンダリセル不活性化タイマー情報、ＤＲＸ（Ｄｉｓｃｏｎｔｉｎｕｏｕｓ  Ｒｅｃｅｐｔｉｏｎ）制御情報、マルチキャストデータ受信情報、下りリンク再送制御情報などを含む下りリンクの制御情報であり、ＭＡＣ層、ＲＬＣ層、ＰＤＣＰ層におけるそれぞれの下りリンクに関する制御情報が含まれている。
【００９６】
受信信号は、受信アンテナ部Ｒ０１によって受信され、受信部１０１に入力される。受信部１０１は、受信制御情報で指定された周波数と周波数帯域に従って基地局装置２からの信号を受信する。受信部１０１はＲＦ回路を含んでもよい。受信された信号は復調部１０２へと入力される。復調部１０２は信号の復調を行う。復調部１０２は、復号部１０３へと復調後の信号を入力する。復号部１０３は、入力された信号を復号し、復号された各データ（下りリンクデータと下りリンク制御データ）を受信データ制御部１０４へと入力する。また、各データと共に基地局装置２から送信されたＭＡＣ制御要素も復号部１０３で復号され、受信データ制御部１０４へと入力される。
【００９７】
受信データ制御部１０４は、受信したＭＡＣ制御要素に基づく物理レイヤ制御部１０５の制御、復号された各データのバッファリング制御、再送されたデータの誤り訂正制御（ＨＡＲＱ）などを行う。受信データ制御部１０４へ入力された各データは、無線リソース制御部１１０へと入力（転送）される。
【００９８】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。送信制御情報は、上りリンクスケジューリング情報として、符号化情報、変調情報、送信周波数帯域の情報、物理チャネルと物理シグナルに関する送信タイミング、多重方法、無線リソース配置情報などの情報が含まれている。
【００９９】
また、送信データ制御情報は、ＤＴＸ（Ｄｉｓｃｏｎｔｉｎｕｏｕｓ  Ｔｒａｎｓｍｉｓｓｉｏｎ）制御情報、ランダムアクセス設定情報、上りリンク共用チャネル情報、論理チャネルプライオリティ情報、リソース要求設定情報、セルグループ情報、上りリンク再送制御情報などを含む上りリンクの制御情報である。無線リソース制御部１１０は、複数のセルにそれぞれ対応した複数のランダムアクセス設定情報を送信データ制御部１０６に設定してもよい。また、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【０１００】
なお、複数の上りリンク送信タイミングの状態を管理する必要がある場合（Ｍｕｌｔｉ−ＴＡ）、送信データ制御部１０６は、複数のそれぞれのセル（またはセルグループ、ＴＡグループ）の上りリンク送信タイミングに対応する送信タイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【０１０１】
端末装置１で生起した送信データ（上りリンクデータと上りリンク制御データ）は、無線リソース制御部１１０より任意のタイミングで送信データ制御部１０６に入力される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。
【０１０２】
また、送信データ制御部１０６は、送信データ制御部１０６に対して送信データが入力されたときに、送信データ制御部１０６内（図示せず）の上りリンクバッファに送信データを格納する。そして、送信データ制御部１０６は、入力された送信データの送信に必要な無線リソースが端末装置１に対して割り当てられているかを判断する。送信データ制御部１０６は、無線リソース割り当てに基づいて、物理上りリンク共用チャネルＰＵＳＣＨ、物理上りリンク制御チャネルＰＵＣＣＨを用いた無線リソース要求（スケジューリングリクエスト（ＳＲ））、または物理ランダムアクセスチャネルを用いた無線リソース要求のいずれか一つを選択し、選択したチャネルを送信するための制御処理を物理レイヤ制御部１０５に対して要求する。
【０１０３】
すなわち、すでに無線リソースが割り当てられており、送信データを物理上りリンク共用チャネルＰＵＳＣＨで送信可能な状態であるとき、符号部１０７は、無線リソース制御部１１０の指示に従って割り当て済みの無線リソースに対応する送信データを上りリンクバッファから取得して符号化し、変調部１０８へと入力する。または、無線リソースが割り当てられていないときで、物理上りリンク制御チャネルによる無線リソース要求が可能であるとき、符号部１０７は、無線リソース制御部１１０の指示に従って物理上りリンク制御チャネルによる無線リソース要求の送信に必要な制御データを符号化し、変調部１０８へと入力する。
【０１０４】
または、無線リソースが割り当てられていないときで、物理上りリンク制御チャネルによる無線リソース要求が不可能であるとき、符号部１０７は、送信データ制御部１０６に対してランダムアクセス手順の開始を指示する。このとき、符号部１０７は、送信データ制御部１０６から入力されるランダムアクセス設定情報に基づき物理ランダムアクセスチャネルで送信されるプリアンブル系列を生成する。また、符号部１０７は、送信制御情報に従って各データを適切に符号化し、変調部１０８へと入力する。
【０１０５】
変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）の送信タイミング調整情報に従って上りリンク送信タイミングを調整する。送信部１０９はＲＦ回路を含んでもよい。送信部１０９から出力された送信信号は、送信アンテナ部Ｔ０１から送信される。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【０１０６】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位には、コアネットワークとの制御を執り行うＮＡＳレイヤ部や、アプリケーションレイヤ部が存在している。
【０１０７】
また、受信アンテナ部Ｒ０１または送信アンテナ部Ｔ０１は、典型的には平面状のマルチバンドアンテナであるが、端末装置１の端末装置能力、形状、目的などに適した任意のアンテナを採用して構成することができる。例えば、複数のアンテナ部で構成されていてもよいし、指向性を有していてもよいし、受信アンテナ部Ｒ０１および送信アンテナ部Ｔ０１が一体となっていてもよい。
【０１０８】
また、上述したように、端末装置１が、受信データ制御部１０４、物理レイヤ制御部１０５、送信データ制御部１０６、無線リソース制御部１１０を複数備える構成である場合、各制御情報、下りリンク制御データ、下りリンクデータ、上りリンク制御データ、および、上りリンクデータは、それぞれのブロックが対応する基地局装置２に関するものである。例えば、基地局装置２−１に対応する受信データ制御部１０４には基地局装置２−１から受信した信号が入力されるが、基地局装置２−２に対応する受信データ制御部１０４には基地局装置２−１から受信した信号は入力されない。
【０１０９】
図２は、本発明の第１の実施形態による基地局装置２の一例を示すブロック図である。本基地局装置は、受信アンテナ部Ｒ０２、受信部２０１、復調部２０２、復号部２０３、受信データ制御部２０４、物理レイヤ制御部２０５、送信データ制御部２０６、符号部２０７、変調部２０８、送信部２０９、送信アンテナ部Ｔ０２、無線リソース制御部２１０、ネットワーク信号送受信部２１１から少なくとも構成される。図中の「部」とは、セクション、回路、構成装置、デバイス、ユニットなどの用語によっても表現される、基地局装置２の機能および各手順を実行する要素である。
【０１１０】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１１１】
なお、基地局装置２は、キャリア・アグリゲーション、および／またはデュアルコネクティビティによる複数の周波数（周波数帯、周波数帯域幅）をサポートするために受信系のブロック（受信部２０１、復調部２０２、復号部２０３）、および送信系のブロック（符号部２０７、変調部２０８、送信部２０９）を複数備える構成であってもよい。また、受信データ制御部２０４、物理レイヤ制御部２０５、送信データ制御部２０６、無線リソース制御部２１０、ネットワーク信号送受信部２１１を複数備える構成であってもよい。
【０１１２】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。符号部２０７は、入力されたＭＡＣ制御要素と各データを符号化し、変調部２０８へと入力する。変調部２０８は、符号化された信号の変調を行なう。
【０１１３】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行う。送信部２０９はＲＦ回路を含んでもよい。送信部２０９から出力された送信信号は、送信アンテナ部Ｔ０２から送信される。下りリンク制御データが配置される物理下りリンク共用チャネルは、典型的にはレイヤ３メッセージ（ＲＲＣメッセージ）を構成する。
【０１１４】
また、受信信号は、受信アンテナ部Ｒ０２によって受信され、受信部２０１に入力される。受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。
【０１１５】
復調部２０２で復調された信号は続いて復号部２０３へと入力される。復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、受信データ制御部２０４へと入力される。
【０１１６】
受信データ制御部２０４は、受信したＭＡＣ制御要素に基づく物理レイヤ制御部２０５の制御や、復号された各データをバッファリングし、再送されたデータの誤り訂正制御（ＨＡＲＱ）を行う。受信データ制御部２０４へ入力された各データは、無線リソース制御部２１０へと入力（転送）される。
【０１１７】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（ＳＧＷ）、ＯＡＭなど）やシステムパラメータにより設定され、無線リソース制御部２１０が必要に応じて制御部２０４へ入力する。
【０１１８】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１１９】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１２０】
ネットワーク信号送受信部２１１は、基地局装置２間あるいは上位のネットワーク装置（ＭＭＥ、ＳＧＷ）と基地局装置２との間の制御メッセージ、またはユーザデータの送信（転送）または受信を行なう。図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在している。
【０１２１】
また、受信アンテナ部Ｒ０２または送信アンテナ部Ｔ０２は、典型的には平面状のマルチバンドアンテナであるが、基地局装置２の送信能力、形状、目的などに適した任意のアンテナを採用して構成することができる。例えば、複数のアンテナ部で構成されていてもよいし、指向性を有していてもよいし、受信アンテナ部Ｒ０２および送信アンテナ部Ｔ０２が一体となっていてもよい。さらに、受信アンテナ部Ｒ０２および送信アンテナ部Ｔ０２（受信部２０１と送信部２０９を含めてもよい）を基地局装置２から独立した一つのユニット（Ｒｅｍｏｔｅ  Ｒａｄｉｏ  Ｈｅａｄ：ＲＲＨ）として構成し、基地局装置２と異なる位置に配置してもよい。
【０１２２】
図３は、端末装置１が、デュアルコネクティビティを含む通信方式をサポートしていることを基地局装置２に対して示すため、端末装置１がサポートする周波数バンドの組み合わせ毎に、サポートしている通信方式に基づいた複数の端末装置能力情報（パラメータ）を通知する場合における、端末装置能力メッセージの構造の一例を示す図である。
【０１２３】
なお、「サポート」の意味は、該機能（または通信方式）を実現するために必要なハードウェア、および／または、ソフトウェアなどを端末装置１に実装し、３ＧＰＰにおいて規定された適合性試験（規格認証試験、Ｃｏｎｆｏｒｍａｎｃｅ  Ｔｅｓｔ）をパスしたことを意味する。
【０１２４】
図３では、端末装置１がデュアルコネクティビティを含む複数の通信方式をサポートしていることを示す端末装置能力情報（パラメータ）として、セカンダリセルにおける物理上りリンク制御チャネルの送信サポートの有無（ｐｕｃｃｈＯｎＳｃｅｌｌ）と、複数のデータ転送制御の実行の可否を示す情報を追加している。
【０１２５】
複数のデータ転送制御の実行の可否を示す情報とは、ＭＡＣ層の機能の複数サポート（Ｍｕｌｔｉｐｌｅ  ＭＡＣ（Ｄｕａｌ  ＭＡＣ））の有無（ｍｕｌｔｉｐｌｅＭＡＣ−Ｃｏｎｆｉｇ（または、ｄｕａｌＭＡＣ−Ｃｏｎｆｉｇ）を示す情報を意味してもよい。ＭＡＣ層の機能の複数サポートとは、プライマリセルとセカンダリセルとが異なるグループ（セルグループ、基地局装置グループ、コネクティビティグループ）に属するセルである場合において、ＭＡＣ層によって実行される各機能がそれぞれのグループで独立して実行されることを意味してもよい。より具体的には、ＭＡＣ層におけるバッファ状況報告（バッファステータスレポート）に用いるバッファ量がそれぞれのグループで独立して計算されること、ＭＡＣ層における無線リソース要求手順がそれぞれのグループで独立して実行されること、などを意味する。
【０１２６】
そして、これらの端末装置能力情報を端末装置１がサポートする周波数バンドの組み合わせ（ＢａｎｄＣｏｍｂｉｎａｔｉｏｎＰａｒａｍｅｔｅｒｓ＃１〜＃ｎ）毎にリスト化し、追加の端末装置能力（ＳｕｐｐｏｒｔｅｄＢａｎｄＣｏｍｂｉｎａｔｉｏｎ３）として、端末装置能力メッセージに含める。
【０１２７】
なお、ＳｕｐｐｏｒｔｅｄＢａｎｄＣｏｍｂｉｎａｔｉｏｎ３に含まれる複数の端末装置能力情報は、ＳｕｐｐｏｒｔｅｄＢａｎｄＣｏｍｂｉｎａｔｉｏｎで設定される該端末装置１の周波数バンドの組み合わせの数に等しく、その順番も一致しているとする。すなわち、端末装置能力メッセージにリストされている周波数バンドの組み合わせの数がｎ（ｎは自然数）であれば、該端末装置能力メッセージに含まれる複数の端末装置能力情報（ｐｕｃｃｈＯｎＳｃｅｌｌ、ｍｕｌｔｉｐｌｅＭＡＣ−Ｃｏｎｆｉｇ）の数もｎ（ｎセット）であり、リストに含まれる順番もそれぞれ同じとなる。
【０１２８】
端末装置能力情報の値として、サポートを示す場合はＳｕｐｐｏｒｔｅｄやＴｒｕｅが設定される。また、端末装置能力情報の値として、非サポートを示す場合はＮｏｔ  ＳｕｐｐｏｒｔｅｄやＦａｌｓｅ、または、Ｎｕｌｌが設定される。
【０１２９】
図４は、図３で端末装置能力メッセージに設定される複数の端末装置能力情報と、端末装置１においてサポート可能な通信方法との関係について説明するための図である。図中のチェックマーク（レ点）は、該端末装置能力情報が示す能力を端末装置１がサポートしていることを示し、図中の横棒線のマーク（−）はそれ以外を示す。
【０１３０】
ある周波数バンドの組み合わせにおいて端末装置１が可能な通信方法として、キャリア・アグリゲーションを用いた通信方法（ケース１）と、キャリア・アグリゲーションと複数の上りリンク送信タイミング（Ｍｕｌｔｉ−ＴＡ）を用いた通信方法（ケース２）と、キャリア・アグリゲーションとセカンダリセルでの物理上りリンク制御チャネルの送信（ＳＣｅｌｌ  ＰＵＣＣＨ）を用いた通信方法（ケース３）と、キャリア・アグリゲーションと複数の上りリンク送信タイミング（Ｍｕｌｔｉ−ＴＡ）とセカンダリセルでの物理上りリンク制御チャネルの送信（ＳＣｅｌｌ  ＰＵＣＣＨ）を用いた通信方法（ケース４）と、デュアルコネクティビティを用いた通信方法（ケース５）と、が考えられる。
【０１３１】
端末装置１は、ケース１とケース２について、従来の端末装置能力情報（ＢａｎｄＣｏｍｂｉｎａｔｉｏｎＰａｒａｍｅｔｅｒｓ、ｍｕｌｔｉｐｌｅＴｉｍｉｎｇＡｄｖａｎｃｅ）を用いて基地局装置２へ通知することが可能である。
【０１３２】
ケース３からケース５は、本実施形態の端末装置１において基地局装置２へ通知することが可能となった通信方法にそれぞれ対応する。
【０１３３】
ケース３の通信方法は、端末装置１が接続可能な基地局装置２は常に一つであるが、セカンダリセルに対する物理上りリンク制御チャネルＰＵＣＣＨの送信設定が、端末装置１に対して設定可能であることを示す。換言すれば、端末装置１は、従来のキャリア・アグリゲーションに関する設定（手順）をサポートする一方、デュアルコネクティビティに関する設定（手順）をサポートしないことを示す。また、端末装置１は、複数の上りリンクの送信タイミングに必要な設定（手順）をサポートしないことを示す。
【０１３４】
セカンダリセルに対する物理上りリンク制御チャネルＰＵＣＣＨの送信設定とは、例えば、ＡＣＫ／ＮＡＣＫやＣＱＩをセカンダリセルで送信する場合の設定、および、セカンダリセルにおける無線リソース要求手順に関する設定などの一部またはすべてを含む。
【０１３５】
デュアルコネクティビティに関する設定とは、例えば、セカンダリセルでContention based Random Access手順をサポートするための設定、セカンダリセルでプライマリセルとは異なるＤＲＸ手順をサポートするための設定、セカンダリセルで無線リンクを監視するための設定、在圏セルをセカンダリ基地局装置セルグループまたはコネクティビティグループとして分類するための設定、セカンダリ基地局装置セルグループに対応する複数のＭＡＣ層やＲＬＣ層の機能に関する設定などの一部または全てである。
【０１３６】
ケース４は、ケース３と同様に端末装置１が接続可能な基地局装置２は常に一つであるが、セカンダリセルに対する物理上りリンク制御チャネルＰＵＣＣＨの送信設定が、端末装置１に対して設定可能であることを示すとともに、キャリア・アグリゲーション中に複数の上りリンクの送信タイミングによる通信をサポートすることを示す。換言すれば、端末装置１は、従来のキャリア・アグリゲーションに関する設定をサポートする一方、デュアルコネクティビティに関する設定をサポートしないことを示す。また、端末装置１は、キャリア・アグリゲーション中に複数の上りリンクの送信タイミングをサポートすることを示す。
【０１３７】
ケース５は、端末装置１が、デュアルコネクティビティに必要な全ての機能をサポートしていることを示す。すなわち、端末装置１は、ある周波数バンドの組み合わせにおいてキャリア・アグリゲーションが可能であり、該周波数バンドの組み合わせにおいて複数の上りリンクの送信タイミングによる通信が可能であり、セカンダリセルに対する物理上りリンク制御チャネルが送信可能であって、ＭＡＣ層の機能の複数サポートが可能である場合に、関連する全ての端末装置能力情報に対して、サポート可能を示す情報を設定する。
【０１３８】
なお、本実施形態の端末装置能力情報の一例として、グループごとに独立した複数のデータ転送制御の実行の可否を示す情報として、ＭＡＣ層の機能の複数サポートを示す情報を例示したが、他の意味を示す端末装置能力情報を代わりに用いることも可能である。
【０１３９】
例えば、端末装置１は、基地局装置２に応じた複数のＬ２機能をサポートすることを示す情報（ｍｕｌｔｉｐｌｅＬ２−Ｃｏｎｆｉｇ）を用いてもよい。または、端末装置１は、セカンダリセルのみを含む基地局装置２のセルグループ（セカンダリ基地局装置セルグループ：ＳＣＧ）をサポートすることを示す情報（ＳＣＧ−Ｃｏｎｆｉｇ）を用いてもよい。または、端末装置１は、複数の基地局装置２との接続をサポートすることを示す情報（ＳｕｐｐｏｒｔｅｄＭｕｌｔｉｐｌｅＣｏｎｎｅｃｔｉｏｎ）を用いてもよい。
【０１４０】
このように構成することによって、第１の実施形態における端末装置１と基地局装置２は、端末装置１の持つ端末装置能力と該端末装置１がサポートする通信方式とを対応付けることができる。
【０１４１】
本実施形態の端末装置１は、デュアルコネクティビティを含む通信方式のサポートを示す端末装置能力について、基地局装置２に対して周波数バンドの組み合わせ毎にそれぞれ通知することができる。これは、ある通信方式をサポートしない周波数バンドの組み合わせがあるような場合に効率的な通知方法である。例えば、ある周波数バンドの組み合わせにおいて、端末装置１がキャリア・アグリゲーションによる通信をサポートするが、デュアルコネクティビティによる通信をサポートしないような場合に効率的である。また、本実施形態の基地局装置２は、端末装置１から通知された端末装置能力に関する情報に基づいて、端末装置１がサポートしている通信方式を周波数バンドの組み合わせ毎に知ることができる。
【０１４２】
第１の実施形態によれば、端末装置１は、複数の端末装置能力情報を用いることによって、該端末装置１がサポートしている通信方法およびサポートしている機能を周波数バンドの組み合わせ毎に基地局装置２に対して適切に通知することが可能となり、最適な通信方法を基地局装置２に対して選択させることができる。また、基地局装置２は、該端末装置１がサポートする通信方法に基づく端末装置能力が周波数バンドの組み合わせ毎に通知されることになるため、端末装置１に対し、トラフィック量や基地局装置２のセル配置などに応じた効率的な通信方法を選択し、適宜指定することができる。
【０１４３】
＜第２の実施形態＞
本発明の第２の実施形態について以下に説明する。
【０１４４】
第１の実施形態は、デュアルコネクティビティに関する端末装置１の複数の機能を、周波数バンドの組み合わせ毎に新たに設定していた。これにより、周波数バンドの組み合わせ毎にサポート可能な通信方式を通知することが可能であった。しかしながら、サポートする周波数バンドの組み合わせは、端末装置１のハードウェア構成に依存するが、一方で、デュアルコネクティビティ、複数の上りリンク送信タイミング（Ｍｕｌｔｉ−ＴＡ）、および、セカンダリセルでの物理上りリンク制御チャネルの送信（ＳＣｅｌｌ  ＰＵＣＣＨ）といった通信方法は、ハードウェア構成に依存しないかもしれない。
【０１４５】
そこで、第２の実施形態では、周波数バンドの組み合わせとは独立した端末装置能力情報を設定することで、端末装置１がサポートする通信方式を通知する方法について示す。第２の実施形態における端末装置１と基地局装置２は、図１と図２にそれぞれ示した構成と同じで良い。
【０１４６】
図５は、端末装置１が、デュアルコネクティビティを含む通信方式をサポートしていることを基地局装置２に対して示すため、サポートしている通信方式に基づいた複数の端末装置能力情報（パラメータ）を通知する場合における、端末装置能力メッセージの構造の一例を示す図である。
【０１４７】
図５では、端末装置１がデュアルコネクティビティを含む複数の通信方式をサポートしていることを示す端末装置能力情報（パラメータ）として、セカンダリセルにおける物理上りリンク制御チャネルの送信サポートの有無（ｐｕｃｃｈＯｎＳｃｅｌｌ）と、ＭＡＣ層の機能の複数サポート（Ｍｕｌｔｉｐｌｅ  ＭＡＣ（Ｄｕａｌ  ＭＡＣ））の有無（ｍｕｌｔｉｐｌｅＭＡＣ−Ｃｏｎｆｉｇ（ｄｕａｌＭＡＣ−Ｃｏｎｆｉｇ））と、を示す情報を追加する。第１の実施形態と異なり、これらの端末装置能力情報は、端末装置１がサポートしている全ての周波数バンドの組み合わせに対して適用される。
【０１４８】
セカンダリセルにおける物理上りリンク制御チャネルの送信サポートの有無を示す情報（ｐｕｃｃｈＯｎＳｃｅｌｌ）は、例えば、本実施形態において新たに追加される物理層パラメータ群（ＰｈｙＬａｙｅｒＰａｒａｍｅｔｅｒｓ２）に含まれてもよい。また、ＭＡＣ層の機能の複数サポートの有無（ｍｕｌｔｉｐｌｅＭＡＣ−Ｃｏｎｆｉｇ）は、例えば、本実施形態において新たに追加されるその他のパラメータ群（ｏｔｈｅｒＰａｒａｍｅｔｅｒｓ２）に含まれてもよい。端末装置１は、これらの端末装置能力情報を端末装置能力メッセージに含めて基地局装置２へ送信する。
【０１４９】
端末装置１は、セカンダリセルにおける物理上りリンク制御チャネルの送信をサポートする場合（ｐｕｃｃｈＯｎＳｃｅｌｌの値がＳｕｐｐｏｒｔｅｄ）、端末装置１がサポートしている全ての周波数バンドの組み合わせにおいて、キャリア・アグリゲーションを行うと同時に、セカンダリセルでの物理上りリンク制御チャネルの送信（ＳＣｅｌｌ  ＰＵＣＣＨ）を用いた通信方法（図４のケース３）をサポートすることを示す。
【０１５０】
更に、複数の上りリンク送信タイミング（Ｍｕｌｔｉ−ＴＡ）をサポートしている全ての周波数バンドの組み合わせにおいて、端末装置１は、キャリア・アグリゲーションと複数の上りリンク送信タイミング（Ｍｕｌｔｉ−ＴＡ）とセカンダリセルでの物理上りリンク制御チャネルの送信（ＳＣｅｌｌ  ＰＵＣＣＨ）を用いた通信方法（図４のケース４）をサポートすることを示す。
【０１５１】
また、端末装置１は、ＭＡＣ層の機能を複数サポートする場合（ｍｕｌｔｉｐｌｅＭＡＣ−Ｃｏｎｆｉｇの値がＳｕｐｐｏｒｔｅｄ）、端末装置１がサポートしている全ての周波数バンドの組み合わせにおいて、デュアルコネクティビティを用いた通信方法（図４のケース５）をサポートすることを示す。
【０１５２】
なお、端末装置１は、ＭＡＣ層の機能を複数サポートする場合（ｍｕｌｔｉｐｌｅＭＡＣ−Ｃｏｎｆｉｇの値がＳｕｐｐｏｒｔｅｄ）であっても、複数の上りリンク送信タイミング（Ｍｕｌｔｉ−ＴＡ）をサポートしていない周波数バンドの組み合わせにおいて、デュアルコネクティビティを用いた通信方法をサポートしていないことを示してもよい。また、端末装置１は、周波数内の周波数バンドの組み合わせにおいて、デュアルコネクティビティを用いた通信方法をサポートしていないことを示してもよい。
【０１５３】
換言すれば、端末装置１は、ＭＡＣ層の機能を複数サポートする場合（ｍｕｌｔｉｐｌｅＭＡＣ−Ｃｏｎｆｉｇの値がＳｕｐｐｏｒｔｅｄ）、複数の上りリンク送信タイミング（Ｍｕｌｔｉ−ＴＡ）をサポートしている異周波数の周波数バンドの組み合わせにおいて、デュアルコネクティビティを用いた通信方法（図４のケース５）をサポートすることを示してもよい。
【０１５４】
このように構成することによって、第２の実施形態における端末装置１と基地局装置２は、端末装置１の持つ端末装置能力と該端末装置１がサポートする通信方式について、第１の実施の形態よりも少ない情報量で対応付けることができる。
【０１５５】
本実施形態の端末装置１は、デュアルコネクティビティを含む通信方式のサポートを示す端末装置能力について、基地局装置２に対して周波数バンドの組み合わせと独立して通知することができる。これは、端末装置１がサポートする通信方式が、周波数バンドの組み合わせに対して共通的に適用できる場合に効率的な通知方法である。また、本実施形態の基地局装置２は、端末装置１から通知された端末装置能力に関する情報に基づいて、端末装置１がサポートしている通信方式を知ることができる。
【０１５６】
第２の実施形態によれば、端末装置１は、複数の端末装置能力情報を用いることによって、該端末装置１がサポートしている通信方法およびサポートしている機能を基地局装置２に対して適切に通知することが可能となり、最適な通信方法を基地局装置２に対して選択させることができる。また、基地局装置２は、該端末装置１がサポートする通信方法に基づく端末装置能力が通知されることになるため、端末装置１に対し、トラフィック量や基地局装置２のセル配置などに応じた効率的な通信方法を選択し、適宜指定することができる。
【０１５７】
＜第３の実施形態＞
本発明の第３の実施形態について以下に説明する。
【０１５８】
第１の実施形態と第２の実施形態は、複数の端末装置能力情報によって、端末装置１がサポートする通信方式を通知する方法について示した。しかしながら、端末装置能力情報が複数の値を設定することができれば、複数の端末装置能力情報を用いずとも同様の効果を得ることができる。
【０１５９】
そこで、第３の実施形態では、複数の値を選択することが可能な端末装置能力情報を追加することで、端末装置１がサポートする通信方式を通知する方法について示す。第３の実施形態における端末装置１と基地局装置２は、図１と図２にそれぞれ示した構成と同じで良い。
【０１６０】
図６は、端末装置１が、デュアルコネクティビティを含む通信方式をサポートしていることを基地局装置２に対して示すため、サポートしている通信方式に基づいた複数の端末装置能力情報（パラメータ）を通知する場合における、端末装置能力メッセージの構造の一例を示す図である。
【０１６１】
図６では、端末装置１がデュアルコネクティビティを含む複数の通信方式をサポートしていることを示す端末装置能力情報（パラメータ）として、物理上りリンク制御チャネルを複数の基地局装置２に対してそれぞれ送信可能であるか否かを示す情報（ｐｕｃｃｈＯｎＳｃｅｌｌ−Ｃｏｎｎｅｃｔｉｖｉｔｙ）を追加する。換言すれば、この情報は、物理上りリンク制御チャネルを、キャリア・アグリゲーション中のセカンダリセルで送信可能であるどうか、または、物理上りリンク制御チャネルをキャリア・アグリゲーション中のセカンダリセルおよびデュアルコネクティビティ中のセカンダリセルで送信可能であるかどうかを示す。
【０１６２】
なお、第１の実施形態のように、端末装置１がサポートしている周波数バンドの組み合わせ毎に端末装置能力情報を設定してもよい。あるいは、第２の実施形態のように、端末装置１がサポートしている全ての周波数バンドの組み合わせに対して一つの端末装置能力情報が適用されてもよい。
【０１６３】
物理上りリンク制御チャネルを複数の基地局装置２に対してそれぞれ送信可能であるか否かを示す情報（ｐｕｃｃｈＯｎＳｃｅｌｌ−Ｃｏｎｎｅｃｔｉｖｉｔｙ）は、例えば、本実施形態において新たに追加される物理層パラメータ群（ＰｈｙＬａｙｅｒＰａｒａｍｅｔｅｒｓ２）に含まれてもよい。
【０１６４】
本端末装置能力情報（ｐｕｃｃｈＯｎＳｃｅｌｌ−Ｃｏｎｎｅｃｔｉｖｉｔｙ）がとりうる値として、セカンダリセルでの物理上りリンク制御チャネルの送信をデュアルコネクティビティによる通信方法以外でサポートすることを示す値（例えば、Ｓｉｎｇｌｅ）、または、セカンダリセルでの物理上りリンク制御チャネルの送信をデュアルコネクティビティによる通信方法でサポートすることを示す値（例えば、Ｄｕａｌ）を設定してもよい。
【０１６５】
図７は、図６で端末装置能力メッセージに設定される複数の端末装置能力情報と、端末装置１においてサポート可能な通信方法との関係について説明するための図である。図７に関し、図４に示す内容と異なる点を以下に説明する。
【０１６６】
ケース３からケース５は、本実施形態の端末装置１において基地局装置２へ通知することが可能となった通信方法にそれぞれ対応する。
【０１６７】
端末装置１は、複数の基地局装置２に対して物理上りリンク制御チャネルをそれぞれ送信するための機能をサポートしていない場合（ｐｕｃｃｈＯｎＳｃｅｌｌ−Ｃｏｎｎｅｃｔｉｖｉｔｙの値がＳｉｎｇｌｅ）、端末装置１がサポートしている全ての周波数バンドの組み合わせにおいて、キャリア・アグリゲーションを行うと同時に、セカンダリセルでの物理上りリンク制御チャネルの送信（ＳＣｅｌｌ  ＰＵＣＣＨ）を用いた通信方法（図７のケース３）をサポートすることを示す。
【０１６８】
更に、複数の上りリンク送信タイミング（Ｍｕｌｔｉ−ＴＡ）をサポートしている全ての周波数バンドの組み合わせにおいて、端末装置１は、キャリア・アグリゲーションと複数の上りリンク送信タイミング（Ｍｕｌｔｉ−ＴＡ）とセカンダリセルでの物理上りリンク制御チャネルの送信（ＳＣｅｌｌ  ＰＵＣＣＨ）を用いた通信方法（図７のケース４）をサポートすることを示す。
【０１６９】
また、端末装置１は、複数の基地局装置２に対して物理上りリンク制御チャネルをそれぞれ送信するための機能をサポートしている場合（ｐｕｃｃｈＯｎＳｃｅｌｌ−Ｃｏｎｎｅｃｔｉｖｉｔｙの値がＤｕａｌ）、端末装置１がサポートしている全ての周波数バンドの組み合わせにおいて、デュアルコネクティビティを用いた通信方式（図７のケース５）をサポートすることを示す。
【０１７０】
なお、端末装置１は、複数の基地局装置２に対して物理上りリンク制御チャネルをそれぞれ送信するための機能をサポートしている場合（ｐｕｃｃｈＯｎＳｃｅｌｌ−Ｃｏｎｎｅｃｔｉｖｉｔｙの値がＤｕａｌ）であっても、複数の上りリンク送信タイミング（Ｍｕｌｔｉ−ＴＡ）をサポートしていない周波数バンドの組み合わせにおいて、デュアルコネクティビティを用いた通信方法をサポートしていないことを示してもよい。また、端末装置１は、周波数内の周波数バンドの組み合わせにおいて、デュアルコネクティビティを用いた通信方法をサポートしていないことを示してもよい。
【０１７１】
なお、本実施形態の端末装置能力情報の一例として、物理上りリンク制御チャネルを複数の基地局装置２に対してそれぞれ送信可能であるか否かを示す情報（ｐｕｃｃｈＯｎＳｃｅｌｌ−Ｃｏｎｎｅｃｔｉｖｉｔｙ）を例示したが、他の意味を示す端末装置能力情報を代わりに用いることも可能である。
【０１７２】
例えば、端末装置１は、物理上りリンク制御チャネルの送信が可能なセルグループを示す情報（ｐｕｃｃｈＯｎＳｃｅｌｌＧｒｏｕｐ）を用いてもよい。本端末装置能力情報（ｐｕｃｃｈＯｎＳｃｅｌｌＧｒｏｕｐ）がとりうる値として、セカンダリセルでの物理上りリンク制御チャネルの送信をマクロセルの基地局装置２（マスター基地局装置（ＭｅＮＢ）とも称する）のセルグループでサポートすることを示す値（例えば、ＭＣＧ）、または、セカンダリセルでの物理上りリンク制御チャネルの送信をスモールセルの基地局措置２（セカンダリ基地局装置（ＳｅＮＢ）とも称する）のセルグループでサポートすることを示す値（例えば、ＳＣＧ）を設定してもよい。
【０１７３】
このように構成することによって、第３の実施形態における端末装置１と基地局装置２は、端末装置１の持つ端末装置能力と該端末装置１がサポートする通信方式とを一つの端末装置能力情報を用いて対応付けることができる。
【０１７４】
本実施形態の端末装置１は、デュアルコネクティビティを含む通信方式のサポートを示す端末装置能力について、基地局装置２に対して周波数バンドの組み合わせと独立して通知することができる。これは、端末装置１がサポートする通信方式が、周波数バンドの組み合わせに対して共通的に適用できる場合に効率的な通知方法である。また、本実施形態の基地局装置２は、端末装置１から通知された端末装置能力に関する情報に基づいて、端末装置１がサポートしている通信方式を知ることができる。
【０１７５】
第３の実施形態によれば、端末装置１は、一つの端末装置能力情報を用いることによって、該端末装置１がサポートしている通信方法およびサポートしている機能を基地局装置２に対して適切に通知することが可能となり、最適な通信方法を基地局装置２に対して選択させることができる。また、基地局装置２は、該端末装置１がサポートする通信方法に基づく端末装置能力が通知されることになるため、端末装置１に対し、トラフィック量や基地局装置２のセル配置などに応じた効率的な通信方法を選択し、適宜指定することができる。
【０１７６】
また、制御データやユーザデータを伝送する一つの無線ベアラ（Ｒａｄｉｏ  ｂｅａｒｅｒ）を異なる基地局装置２を経由して伝送すること（ｂｅａｒｅｒ  ｓｐｌｉｔとも称する）が検討されており、端末装置１は、この機能に対応する端末装置能力情報を追加してもよい。例えば、第１〜第３の実施形態において、端末装置１は、ｂｅａｒｅｒ  ｓｐｌｉｔが可能か否かを示す端末装置能力情報を追加して送信してもよいし、もしくはいずれかの端末装置能力情報（またはそれらの組み合わせ）の代わりに送信してもよい。
【０１７７】
また、例えば、端末装置１は、ｂｅａｒｅｒ  ｓｐｌｉｔが可能なアーキテクチャーに対応することを示す端末装置能力を追加して送信してもよいし、もしくはいずれかの端末装置能力情報（またはそれらの組み合わせ）の代わりに送信してもよい。アーキテクチャーを示す端末装置能力は、ｂｅａｒｅｒ  ｓｐｌｉｔをサポートしない第１のアーキテクチャーと、ｂｅａｒｅｒ  ｓｐｌｉｔをサポートする第２のアーキテクチャーのどちらか一方をサポートすること、もしくは両方をサポートすることを示す。
【０１７８】
また、ＦＤＤバンドのセルとＴＤＤバンドのセルのリソースを集約（ＴＤＤ−ＦＤＤ  Ｊｏｉｎｔ  Ｏｐｅｒａｔｉｏｎ）して用いる場合に対応すること、もしくは対応しないことを示す端末装置能力を追加、もしくはいずれかの代わりに送信してもよい。端末装置１は、この機能に対応する端末装置能力情報を追加してもよい。例えば、第１〜第３の実施形態において、端末装置１は、ＦＤＤバンドのセルとＴＤＤバンドのセルのリソースを集約することが可能か否かを示す端末装置能力情報を追加して送信してもよいし、もしくはいずれかの端末装置能力情報（またはそれらの組み合わせ）の代わりに送信してもよい。
【０１７９】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０１８０】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０１８１】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などに対し通信機能を搭載したものを含む。また、端末装置１は、人対人または人対機器の通信だけではなく、機器対機器の通信（Ｍａｃｈｉｎｅ  Ｔｙｐｅ  Ｃｏｍｍｕｎｉｃａｔｉｏｎ、マシンタイプ通信）や、デバイス対デバイスの通信（Ｄｅｖｉｃｅ  ｔｏ  Ｄｅｖｉｃｅ  Ｃｏｍｍｕｎｉｃａｔｉｏｎ；Ｄ２Ｄ）にも用いられる。
【０１８２】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１８３】
なお、基地局装置２は、３ＧＰＰが規定するＵＭＴＳにおいてＮＢと称され、ＥＵＴＲＡおよびＡｄｖａｎｃｅｄ  ＥＵＴＲＡにおいてｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０１８４】
また、説明の便宜上、機能的なブロック図を用いて、端末装置１および基地局装置２の各部の機能またはこれらの機能の一部を実現するための方法、手段、またはアルゴリズムのステップについて具体的に組み合わせて記載したが、これらは、ハードウェア、プロセッサによって実行されるソフトウェアモジュール、または、これらを組み合わせたものによって、直接的に具体化され得る。
【０１８５】
もしハードウェアによって実装されるのであれば、端末装置１および基地局装置２は説明したブロック図の構成以外に端末装置１および基地局装置２へ電力を供給する給電装置やバッテリー、液晶などのディスプレイ装置及びディスプレイ駆動装置、メモリ、入出力インターフェース及び入出力端子、スピーカー、その他の周辺装置によって構成される。
【０１８６】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１８７】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０１８８】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０１８９】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１９０】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１９１】
また、上記プログラムは、前述した機能の一部を実現するためのものであっても良く、さらに、前述した機能をコンピュータシステムに既に記録されているプログラムとの組み合わせで実現できるものであっても良い。
【０１９２】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けの集積回路（ＡＳＩＣ）あるいは一般用途向けの任意の集積回路（ＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。
【０１９３】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよい。
【０１９４】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０１９５】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０１９６】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【産業上の利用可能性】
【０１９７】
本発明は、携帯電話、パーソナル・コンピュータ、タブレット型コンピュータなどに適用できる。
【符号の説明】
【０１９８】
１    端末装置
２、２−１、２−２    基地局装置
１０１、２０１    受信部
１０２、２０２    復調部
１０３、２０３    復号部
１０４、２０４    受信データ制御部
１０５、２０５    物理レイヤ制御部
１０６、２０６    送信データ制御部
１０７、２０７    符号部
１０８、２０８    変調部
１０９、２０９    送信部
１１０、２１０    無線リソース制御部
２１１    ネットワーク信号送受信部
Ｒ０１、Ｒ０２    受信アンテナ部
Ｔ０１、Ｔ０２    送信アンテナ部
【図１】
0006462588.tif 000002
【図２】
0006462588.tif 000003
【図３】
0006462588.tif 000004
【図４】
0006462588.tif 000005
【図５】
0006462588.tif 000006
【図６】
0006462588.tif 000007
【図７】
0006462588.tif 000008
【図８】
0006462588.tif 000009
【図９】
0006462588.tif 000010
【図１０】
0006462588.tif 000011
【図１１】
0006462588.tif 000012